(57)【要約】【課題】  什器等における被装着部に、ダクト本体の取付け及び取外しが簡単に行うことができるようにする。【解決手段】  上下方向に配線される電線１を収容する凹溝状の収容部８を有するダクト本体７の上端部に、下向き鉤形の下向き係止片１０を設け、下向き係止片１０を、什器等の被装着部３の上面に設けた上部係止孔５ａ、５ｂに着脱自在に係止させるとともに、ダクト本体６の下端部に、ほぼ水平方向の支持片１２を設け、この支持片１２の下面に、締結手段１５をもって、被装着部３の下面に設けられる下部係止孔６ａ、６ｂに係止される固定金具１３を着脱自在に締結  【選択図】  図６
2006136537.tif 000002
【特許請求の範囲】
【請求項１】
上下方向に配線される電線を収容する凹溝状の収容部を有するダクト本体の上端部に、下向き鉤形の下向き係止片を設け、該下向き係止片を、什器等の被装着部の上面に設けた上部係止孔に着脱自在に係止させるとともに、前記ダクト本体の下端部に、ほぼ水平方向の支持片を設け、該支持片の下面に、締結手段をもって、前記被装着部の下面に設けられる下部係止孔に係止される固定金具を着脱自在に締結したことを特徴とする配線ダクト装置。
【請求項２】
固定金具を、上向き係止片を有するほぼＬ字状に形成するとともに、該上向き係止片を、被装着部の下面に設けられた下部係止孔に下方から係止させたことを特徴とする請求項１記載の配線ダクト装置。
【請求項３】
ダクト本体に、収容部を覆うように、カバー部材を着脱自在に取り付けたことを特徴とする請求項１または２記載の配線ダクト装置。
【請求項４】
ダクト本体に、その両側壁の先端から外側に向けて突出する係止片を上下方向に沿って設けるとともに、カバー部材の内側面に、該係止片の外側に嵌合可能な係止凹部を設けたことを特徴とする請求項３記載の配線ダクト装置。
【請求項５】
カバー部材の下端部を、ダクト本体の下端部に設けられた支持片の上面に載置したことを特徴とする請求項３または４記載の配線ダクト装置。
【請求項６】
ダクト本体の支持片の両側部に垂下片を設け、該垂下片の側縁を、被装着部の側面に当接させたことを特徴とする請求項５記載の配線ダクト装置。
【請求項７】
什器等における被装着部が、机の脚体、袖脚または袖箱であって、該脚体、袖脚または袖箱の上面に、前記机の天板に覆われるように形成した凹入段部を設け、該凹入段部の上面に、ダクト本体の下向き係止片が選択的に係止可能な複数の上部係止孔を設け、前記脚体、袖脚または袖箱の下面に、固定金具の上向き係止片が選択的に係止可能な複数の下部係止孔を設けたことを特徴とする請求項１〜６のいずれかに記載の配線ダクト装置。
【発明の詳細な説明】
【技術分野】
【０００１】
本発明は、例えば、オフィス等の執務空間において使用される机の脚体、袖脚または袖箱等に装着される配線ダクト装置に関する。
【背景技術】
【０００２】
近年、オフィス等の執務空間で使用される什器、例えば机の天板上には、ＯＡ器機等の電子機器が載置されることが多いため、電子機器への複雑な多数の配線を簡素化する上で、机に配線ダクト機能を持たせることが望ましい。
【０００３】
このような従来の配線ダクト装置としては、ダクト本体を、机の脚体等に両面接着テープやマグネットにより直接貼着し、このダクト本体の配線収容スペースに、多数の電線を集束して収容した後に、カバー部材により電線を覆うようにしたもの、及び机の側面に、上下方向に延びる凹溝を形成し、この凹溝に電線を集束して収容した後に、カバー部材により電線を覆うようにしたもの（例えば、特許文献１、２参照）、さらには、机に、上下方向に延びる取付け溝を設け、この取付け溝に、電線を収容するためのダクト本体を着脱可能に取り付けるようにしたものがある（例えば、特許文献３参照）。
【特許文献１】特開２００３−１３５１６５号公報
【特許文献２】特開２０００−２７９２３３号公報
【特許文献３】特開２００４−０８９４６１号公報
【発明の開示】
【発明が解決しようとする課題】
【０００４】
しかし、上述のように、机の脚体等にダクト本体を両面粘着テープで直接貼着した従来の配線ダクト装置においては、経時変化による粘着テープの粘着力の低下で、ダクト本体が剥がれたり、ダクト本体を取り外したとき、粘着テープの一部が机の貼着面に付着して、外観を低下させたり、あるいは、再使用が不可能になる等の不具合がある。また、マグネットによるダクト本体の取付けでは、配線による情報伝達が、磁力により悪影響を及ぼすおそれがある。
【０００５】
また、上記特許文献１、２に記載の配線ダクト装置においては、机の側面に、配線収容スペースを形成する凹状溝を加工しなければならず、加工工数が掛かるとともに、コスト高になる。また、ユーザーの用途に係わらず全ての机に対して配線ダクト機能を設ける必要がある。
【０００６】
さらに、上記特許文献３に記載の配線ダクト装置においては、机自体に配線ダクトを形成する必要性がないため、机の加工に手間が掛からず、また、配線ダクト機能の要、不要に合わせて、配線ダクト装置を着脱することができるという利点を有するものの、机には、上下方向に延びる取付け溝を加工する必要があるため、体裁が悪く、しかも、配線位置も取付け溝の加工位置のみに限定され、ユーザーの用途に応じて配線位置を自由に変更することができない。
【０００７】
本発明は、上記の問題点に鑑み、什器等における被装着部に、ダクト本体の取付け及び取外しが簡単に行うことができるようにした配線ダクト装置を提供することを目的としている。
【課題を解決するための手段】
【０００８】
本発明によると、上記課題は、次のようにして解決される。
（１）上下方向に配線される電線を収容する凹溝状の収容部を有するダクト本体の上端部に、下向き鉤形の下向き係止片を設け、該下向き係止片を、什器等の被装着部の上面に設けた上部係止孔に着脱自在に係止させるとともに、前記ダクト本体の下端部に、ほぼ水平方向の支持片を設け、該支持片の下面に、締結手段をもって、前記被装着部の下面に設けられる下部係止孔に係止される固定金具を着脱自在に締結する。
【０００９】
（２）上記(１)項において、固定金具を、上向き係止片を有するほぼＬ字状に形成するとともに、該上向き係止片を、被装着部の下面に設けられた下部係止孔に下方から係止させる。
【００１０】
（３）上記(１)または(２)項において、ダクト本体に、収容部を覆うように、カバー部材を着脱自在に取り付ける。
【００１１】
（４）上記(３)項において、ダクト本体に、その両側壁の先端から外側に向けて突出する係止片を上下方向に沿って設けるとともに、カバー部材の内側面に、該係止片の外側に嵌合可能な係止凹部を設ける。
【００１２】
（５）上記(３)または(４)において、カバー部材の下端部を、ダクト本体の下端部に設けられた支持片の上面に載置する。
【００１３】
（６）上記(５)項において、ダクト本体の支持片の両側部に垂下片を設け、該垂下片の側縁を、被装着部の側面に当接させる。
【００１４】
（７）上記(１)〜(６)項のいずれかにおいて、什器等における被装着部が、机の脚体、袖脚または袖箱であって、該脚体、袖脚または袖箱の上面に、前記机の天板に覆われるように形成した凹入段部を設け、該凹入段部の上面に、ダクト本体の下向き係止片が選択的に係止可能な複数の上部係止孔を設け、前記脚体、袖脚または袖箱の下面に、固定金具の上向き係止片が選択的に係止可能な複数の下部係止孔を設ける。
【発明の効果】
【００１５】
（ａ）請求項１記載の発明によると、ダクト本体の上端部に設けた係止片を、什器等における被装着部の上面に設けた上部係止孔に係止させるとともに、ダクト本体の下端部に設けられる支持片を、下部係止孔に係止される固定金具に締結することにより、ダクト本体を被装着部に安定して取り付けることができ、また、簡単に取り外すことができる。
また、被装着部には、従来のような配線収容スペースとしての凹溝等の加工を施す必要がないため、簡易的で、安価に構成することができる。
【００１６】
（ｂ）請求項２記載の発明によると、ダクト本体を被装着部により安定して取り付けることができるとともに、固定金具を簡単に成型することができ、コストの低減を図ることができる。
【００１７】
（ｃ）請求項３記載の発明によると、ダクト本体の収容部に配線される電線が外部に露出しないため、外観の向上を図ることができ、しかも、カバー部材の取り外しにより、ダクト本体への配線作業を容易に行うことができる。
【００１８】
（ｄ）請求項４記載の発明によると、ダクト本体に対するカバー部材の着脱を容易に行うことができる。
【００１９】
（ｅ）請求項５記載の発明によると、ダクト本体の下端部における支持片上に、カバー部材の下端部を支持させることができるため、カバー部材のダクト本体への取付け状態における下方へのずれを防止することができる。
【００２０】
（ｆ）請求項６記載の発明によると、カバー部材に上方から負荷が掛かっても、ダクト本体の下端部における支持片の下方への撓みを防止することができる。
【００２１】
（ｇ）請求項７記載の発明によると、机の脚体、袖脚または袖箱の後部上面に形成した凹入段部に、ダクト本体の係止片が係止される上部係止孔を設けたことにより、上部係止孔が天板で隠蔽されて上方に露出しないため、外観の向上を図ることができる。
また、被装着部の凹入段部及び被装着部の下面に複数の上部及び下部係止孔を設けたことにより、ダクト本体を、什器等における被装着部となる机の脚体、袖脚または袖箱に選択的に取り付けることができ、ユーザーの用途に応じてダクト本体の位置を容易に変更することができる。
【発明を実施するための最良の形態】
【００２２】
以下、本発明の一実施形態を図面に基づいて詳細に説明する。
図１は、要部の斜視図、図２は、図１におけるII−II線に沿う横断面拡大図、図３は、図１におけるIII−III線に沿う縦断面拡大図、図４は、図１におけるIV−IV線に沿う縦断面拡大図、図５は、カバー部材を外した状態の要部の斜視図、図６は、要部の分解斜視図である。なお、以下の説明では、図１、５及び図６における左斜め上方を「前方」、右斜め下方を「後方」、左斜め下方を「外側」、右斜め上方を「内側」とする。
【００２３】
本実施形態の配線ダクト装置は、主に図１に示すように、オフィス等の執務空間の床面上または床面下に配線される複数の電線(１)を、什器等における被装着部、例えば、机(２)における脚体（袖脚及び袖箱を含む）(３)の側面に沿って上下方向へ配線して、脚体(３)上に支持される机(２)の天板(2a)側に引出し配線する場合等に使用され、脚体(３)に、通信線や電源線等の電線(１)を上下方向へ向けて配線して収容するための上下方向へ長尺なダクト本体(７)が着脱可能に固定されることによって構成される。
【００２４】
天板(2a)で覆われる脚体(３)の後部上面には、天板(2a)の下面と脚体(３)の上面との間に電線(１)を通すための間隙を形成する凹入段部(４)が設けられ、この凹入段部(４)には、左右２個の上部係止孔(5a)(5b)が穿設されている。また、脚体(３)の下面には、上部係止孔(5a)(5b)に対して上下に対向するように、左右２個の下部係止孔(6a)(6b)が穿設されている。
【００２５】
ダクト本体(７)は、主に図２に示すように、電線(１)を側方から上下方向へ向けて収容し得るようにした、側方が開口した凹溝状の収容部(８)を有するとともに、上端部には、主に図５、６に示すように、上方に向けて先窄み状に延出する突出片(９)が一体的に形成されている。
【００２６】
突出片(９)の上端部には、主に図３に示すように、ダクト本体(７)の背面（脚体(３)の外側面(3a)に対向する面）側へ向けて延出し、かつ上部係止孔(5a)及び(5b)に選択的に係止可能な下向き鉤形の下向き係止片(10)が一体的に設けられている。
【００２７】
ダクト本体(７)を、各図に示すように、脚体(３)の外側面(3a)側に取り付ける場合には、下向き係止片(10)を外側の上部係止孔(5a)に上方から差し込んで係止するまた、脚体(３)の内側面(3b)側に取り付ける場合には、係止片(10)を内側の上部係止孔(5b)に内側上方から差し込んで係止する。これにより、ダクト本体(７)の上端部を、必要に応じて脚体(３)の外側面(3a)または内側面(3b)に選択的に固定することができる。
【００２８】
図２に示すように、ダクト本体(７)には、その両側壁(7a)(7a)の先端を逆止爪状に折り返し形成した係止部(11)(11)が上下方向に沿って一体的に形成されている。
【００２９】
また、主に図６に示すように、ダクト本体(７)の下端部には、外方へ向けて水平に延出するとともに、両側部に垂下片(12a)を有する支持片(12)が一体的に形成され、この支持片(12)の下面には、Ｌ字状に折曲された固定金具(13)の水平部(13a)が上下方向を向く締結手段をなすねじ(15)により締結される。
【００３０】
固定金具(13)は、ダクト本体(７)を脚体(３)に取り付ける前に、予めダクト本体(７)の支持片(12)の下面にねじ(15)により、上下に振れるような状態で緩めに仮止めされる。
【００３１】
ダクト本体(７)を脚体(３)の外側面(3a)に取り付ける場合には、ダクト本体(７)の下向き係止片(10)を、脚体(３)の外側の上部係止孔(5a)に差し込んだ後、固定金具(13)の端部に設けられた上向き係止片(14)を、脚体(３)の下面に設けられた外側の下部係止孔(6a)に下方から差し込んだ状態で、ねじ(15)を締め付け、固定金具(13)を支持片(12)の下面に締結する。これにより、ダクト本体(７)は、下向き係止片(10)と固定金具(13)の上向き係止片(14)とで、脚体(３)の上下面を挟み込むような状態で、脚体(３)の外側面(3a)に安定して取り付けることができる。なお、ダクト本体(７)を脚体(３)の内側面(3b)に取り付ける場合には、下向き係止片(10)を内側の上部係止孔(5b)に、また、固定金具(13)の上向き係止片(14)を内側の下部係止孔(6b)にそれぞれ係止して、固定金具(13)をダクト本体(７)の支持片(12)の下面に締結する。
【００３２】
ダクト本体(７)には、収容部(８)に配線される電線(１)を覆うように、平面視ほぼＵ字状（図２参照）の合成樹脂製のカバー部材(16)が外側から着脱自在に嵌合される。
【００３３】
カバー部材(16)の両側に上下方向に沿って設けられた両側壁(16a)(16a)の内側面には、互いに対向する係止凹部(17)(17)が形成されている。この係止凹部(17)(17)を、ダクト本体(７)の両側壁(7a)(7a)に形成した係止部(11)(11)に外側から係合させることにより、カバー部材(16)は、ダクト本体(７)に取り付けられる。これにより、ダクト本体(７)の収容部(８)に配線される電線(１)が外部に露出しないため、外観の向上を図ることができ、しかも、カバー部材(16)の取り外しにより、ダクト本体(７)への配線作業を容易に行うことができる。
【００３４】
カバー部材(16)における内面（収容部(８)に対向する面）のほぼ中央部には、上下方向に沿って突条部(18)が形成されている。この突条部(18)は、カバー部材(16)の剛性を高めるとともに、ダクト本体(７)の収容部(８)に配線される複数の電線(１)を両側に２列に振り分ける作用を有している。
【００３５】
カバー部材(16)は、ダクト本体(７)に取り付けられた状態において、ずれ落ちないように、突条部(18)の下端部がダクト本体(７)の支持片(12)の上面に当接した載置状態で支持されるようになっている。
【００３６】
また、ダクト本体(７)の下端部における支持片(12)の垂下片(12a)の側縁(12b)（被装着部(３)の外側面(3a)に対向する縁）を、図４に示すように、脚体(３)の外側面(3a)に当接させることにより、カバー部材(16)に上方から負荷が掛かっても、ダクト本体(７)の下端部における支持片(12)の下方への撓みを防止することができる。
【００３７】
上述のように、本実施形態によれば、ダクト本体(７)における上端部の下向き係止片(10)を、脚体(３)における上面の上部係合孔(5a)または(5b)に係止させるとともに、ダクト本体(７)における下端部の支持片(12)に、脚体(３)における下面の下部係止孔(6a)または(6b)に係止される固定金具(13)をねじ(15)により着脱自在に固定することにより、脚体(３)の外側面(3a)または内側面(3b)に対するダクト本体(７)の取付け及び取外しが、簡易的で、安価な構成で、簡単に行うことができる。
【００３８】
また、上部係止孔(5a)(5b)は、脚体(３)における後部上面の凹入段部(４)に設けられているため、上部係止孔(5a)(5b)が、机(２)の天板(2a)で隠蔽されて上方に露出しないため、外観の向上を図ることができる。さらには、脚体(３)の上面及び下面に、複数の上部係止孔(5a)(5b)及び下部係止孔(6a)(6b)をそれぞれ設けているため、ダクト本体(７)を、脚体(３)の外側面(3a)または内側面(3b)に選択的に取り付けることができ、ユーザーの用途に応じてダクト本体(７)の取付位置を容易に変更することができる。
【００３９】
ダクト本体(７)の上端部に、突出片(９)が上方に向け先窄み状に延出させているため、ダクト本体(７)の上端部から引き出される電線(１)を、突出片(９)を境に両側に振り分けて天板(２)側へ引き出すことができ、電子機器等への接続作業を容易に行うことができる。
【００４０】
さらには、ダクト本体(７)の下端部における支持片(12)上に、カバー部材(16)の下端部が当接して支持されているため、カバー部材(16)のダクト本体(７)への取付け状態における下方へのずれを防止することができる。また、床面からダクト本体(７)へ向け引き出される複数の電線(１)を、支持片(12)を境に両側に振り分けて、ダクト本体(７)の収容部(７)に収容することができ、電線(１)の配線作業を容易に行うことができる。
【００４１】
なお、本実施形態においては、ダクト本体(７)の上端部及び下端部を、被装着部(３)の上面及び下面に対して、それぞれ固定するようにしたが、必要に応じて、ダクト本体(７)の上端部に設けられる下向き係止片(10)のみを、上部係止孔(5a)または(5b)に係止して、ダクト本体(７)の上部のみを被装着部(３)に固定するようにしても良い。
【図面の簡単な説明】
【００４２】
【図１】本発明の配線ダクト装置を示す要部斜視図である。
【図２】図１におけるII−II線に沿う横断面拡大図である。
【図３】図１におけるIII−III線に沿う縦断面拡大図である。
【図４】図１におけるIV−IV線に沿う縦断面拡大図である。
【図５】カバー部材を外した状態の要部の斜視図である。
【図６】要部の分解斜視図である。
【符号の説明】
【００４３】
(１)電線
(２)机
(2a)天板
(３)脚体（被装着部）
(3a)外側面
(3b)内側面
(４)凹入段部
(5a)(5b)上部係止孔
(6a)(6b)下部係止孔
(７)ダクト本体
(7a)側壁
(８)収容部
(９)突出片
(10)下向き係止片
(11)係止部
(12)支持片
(12a)垂下片
(12b)側縁
(13)固定金具
(13a)水平部
(14)上向き係止片
(15)ねじ（締結手段）
(16)カバー部材
(16a)側壁
(17)係止凹部
(18)突条部(18)
【図１】
2006136537.tif 000003
【図２】
2006136537.tif 000004
【図３】
2006136537.tif 000005
【図４】
2006136537.tif 000006
【図５】
2006136537.tif 000007
【図６】
2006136537.tif 000008